(57)【要約】【課題】設置場所の確保が容易で、片手で容易に取り出しでき、使い勝手が良く、収納されているペーパータオルが濡れたり、吸湿したり、埃で汚れたりするのを効果的に防止できるペーパータオル。【解決手段】プラスチックフィルム製フィルムにより方形状に形成されているペーパータオル収納袋１。収納袋１は、方形状の一端部側に吊下げ用の鉤穴６を設けた耳部５と、方形状の一面に形成されている、ペーパータオル収納袋１内に収納されているペーパータオル２の取出し用の開口部を形成するミシン目４とを備えている。複数枚のペーパータオル２が隣接する他のペーパータオルを挟みこむように重畳されて積層された状態でペーパータオル収納袋１に収納されているペーパータオル。【選択図】図１
0003122104.tif 000002
【実用新案登録請求の範囲】
【請求項１】
プラスチックフィルムにより方形状袋に形成されているペーパータオル収納袋であって、前記方形状袋の一端部側に吊下げ用の鉤穴を設けた耳部を有し、
当該ペーパータオル収納袋に収納されているペーパータオルの取出し用の開口部を形成するミシン目が前記方形状袋の一面に形成されている
ことを特徴とするペーパータオル収納袋。
【請求項２】
前記ミシン目は、前記耳部がある前記方形状袋の一端部側から、当該一端部側に対向する他端部側に向かって延びるように、前記方形状袋の長手方向に形成されてなることを特徴とする請求項１記載のペーパータオル収納袋。
【請求項３】
前記吊下げ用の鉤穴は、前記方形状袋の一端部側の耳部の中央に設けられていることを特徴とする請求項１又は２記載のペーパータオル収納袋。
【請求項４】
前記ミシン目は、前記吊下げ用の鉤穴が前記耳部に設けられている前記耳部の中央に対応する前記方形状袋の一面の中央において、前記方形状袋の長手方向に形成されていることを特徴とする請求項３記載のペーパータオル収納袋。
【請求項５】
前記ミシン目は、前記方形状袋の長手方向に延びて、前記耳部がある前記方形状袋の一端部及び、当該一端部に対向する他端部から、それぞれ、所定の間隔（Ｗ）をあけた位置で終端していることを特徴とする請求項２乃至４のいずれか一項記載のペーパータオル収納袋。
【請求項６】
前記の所定の間隔（Ｗ）は、前記耳部がある前記方形状袋の一端部及び、当該一端部に対向する他端部から、それぞれ、１０乃至２５ｍｍであることを特徴とする請求項５記載のペーパータオル収納袋。
【請求項７】
前記プラスチックフィルムは、前記ペーパータオルを外部から視認できる半透明又は透明の材質からなることを特徴とする請求項１乃至６のいずれか一項記載のペーパータオル収納袋。
【請求項８】
複数枚のペーパータオルが隣接する他のペーパータオルを挟みこむように重畳されて積層された状態で請求項１乃至７のいずれか一項記載のペーパータオル収納袋に収納されていることを特徴とするペーパータオル。
【請求項９】
ペーパータオルは、クッキングペーパー又はキッチンペーパーであることを特徴とする請求項８記載のペーパータオル。
【考案の詳細な説明】
【技術分野】
【０００１】
本考案は、複数枚の積層したペーパータオルを収納した吊り下げ可能なペーパータオル収納袋及びこれに収納されているペーパータオルに関する。
【背景技術】
【０００２】
調理器具等の油汚れの拭取り、テーブルや食器の拭取り等において、従来の布製布巾にかわり、洗濯の必要がない使い捨てのキッチンペーパー（あるいは、クッキングペーパー）と呼ばれるペーパータオルが広く使用されている。このペーパータオルは、ティッシュペーパーよりも厚手で、丈夫であることから揚げ物の油切りにも使用され、さらには台所等の一般家庭のほか、オフィスや工場でも使用されている。
【０００３】
一般にキッチンペーパー、クッキングペーパー等のペーパータオルは、ミシン目を付けたペーパーを芯棒に巻きつけたロールタイプのものと、１枚ずつ折り畳まれて積層されたものをそれぞれ引出しするプルアップタイプのものとがあり、いずれも埃からの汚れを防ぐために容器に収納されている。この両タイプとも使用に際しては、厚手のペーパータオルは容器との摩擦が大きいので、一方の手で容器を押さえ、他方の手でペーパータオルを引出す必要があり、料理や作業の途中での使い勝手が不便であった。
【０００４】
そこで図３に示すように、キッチンペーパーホルダー１０１の取出口１０２に一対の押圧片１０３を設けるとともに、キッチンペーパーのロール体１０５に当接し上下移動可能に載置される重し部材１０６を設けることで、ミシンに沿って片手で容易に剥離して取出し可能なキッチンペーパーホルダー１０７が提案されている（例えば、特許文献１参照。）。
【特許文献１】特開２００３−１８２７８４号公報
【考案の開示】
【考案が解決しようとする課題】
【０００５】
上記特許文献１に記載のキッチンペーパーホルダー１０７によれば、押圧片１０３により引出したキッチンペーパーが押圧されるので、片手でも容易にミシン目に沿って剥離することができ、また重し部材１０６によりロール体１０５を押さえるので、心棒近くまで使い切ったときでもロール体１０５やホルダー１０１の揺動を抑えて安定した剥離をすることができるとされている。
【０００６】
しかしながら、上記キッチンペーパーホルダーは押圧片や重し部材を使用するため、構造が複雑になり、さらに使用開始時にロール体から剥離させたペーパー端部を取出口に挿通しなければならず使い勝手が不便である。また箱型容器のホルダーに収納するため、この容器を載置する平坦な場所の確保も必要である。これらの点はプルアップタイプであっても箱型容器に収納する限り、同様に生じるものである。
【０００７】
本考案は、片手で容易に取り出しでき、また設置場所の確保が容易で、使い勝手が良く、収納されているキッチンペーパー、クッキングペーパー等のペーパータオルが濡れたり、吸湿したり、あるいは埃で汚れたりするのを効果的に防止できるペーパータオル収納袋及び、これに収納されているペーパータオルを提供することを目的とする。
【課題を解決するための手段】
【０００８】
本考案は、プラスチックフィルムによって形成されているペーパータオル用収納袋の構造に工夫を加えることによって、前記課題の解決を図ったものである。
【０００９】
すなわち、前記目的を解決するために本考案が提案するものは、プラスチックフィルムにより方形状袋に形成されているペーパータオル収納袋であって、前記方形状袋の一端部側に吊下げ用の鉤穴を設けた耳部を有し、当該ペーパータオル収納袋に収納されているペーパータオルの取出し用の開口部を形成するミシン目が前記方形状袋の一面に形成されていることを特徴とするものである。
【００１０】
このように、ペーパータオル収納袋の少なくとも一端部側に吊下げ用の鉤穴を設けた耳部を備えているので、使用者の身近な所定位置に設けた吊金具などの吊り下げ手段に本考案のペーパータオル収納袋を吊下げることができる。そして、前記のミシン目を開封しておけば、片手でも容易にペーパータオルを取り出すことができる。
【００１１】
また吊下げることで、従来の箱形のように載置用の平坦なスペースが必要なくなる。
【００１２】
さらに、プラスチックフィルムにより方形状袋に形成されているペーパータオル収納袋であるので、この収納袋の中に収納されているペーパータオルが濡れたり、吸湿したり、あるいは埃で汚れたりするのを抑えることができる。
【００１３】
ここで、前記ミシン目は、前記耳部がある前記方形状袋の一端部側から、当該一端部側に対向する他端部側に向かって延びるように、前記方形状袋の長手方向に形成されてなるようにすることができる。
【００１４】
また、前記吊下げ用の鉤穴は、前記方形状袋の一端部側の耳部の中央に設けられているようにすることができる。
【００１５】
そして、これらの形態の場合に、前記ミシン目は、前記吊下げ用の鉤穴が前記耳部に設けられている前記耳部の中央に対応する前記方形状袋の一面の中央において、前記方形状袋の長手方向に形成されているようにすることができる。
【００１６】
ミシン目が前記のように、方形状袋の長手方向に形成されていることにより、取り出し容易となる十分な長さのミシン目を形成することができる。すなわちこのミシン目は、方形状袋である収納袋の一面側の長手方向中央部に、ペーパータオルの長手方向の長さと略等しい長さとすれば、片手でも無理なく収納袋からペーパータオルを１枚ずつ取り出すことができる。
【００１７】
なお、前記いずれの本考案のペーパータオル収納袋においても、前記ミシン目は、前記方形状袋の長手方向に延びて、前記耳部がある方形状袋の一端部及び、当該一端部に対向する他端部から、それぞれ、所定の間隔（Ｗ）をあけた位置で終端しているようにすることができる。
【００１８】
この場合、前記の所定の間隔（Ｗ）は、前記耳部がある方形状袋の一端部及び、当該一端部に対向する他端部から、それぞれ、１０乃至２５ｍｍであるようにすることができる。
【００１９】
このように、前記ミシン目が、前記方形状袋の長手方向に延びて、耳部がある方形状袋の一端部及び、当該一端部に対向する他端部から、それぞれ、所定の間隔（Ｗ）をあけた位置で終端するようにすると、特に、この所定の間隔（Ｗ）を、前記の一端部及び、一端部に対向する他端部から、それぞれ、１０乃至２５ｍｍにすると、収納袋からペーパータオルを１枚ずつ取り出す際に、重ね合わせて積層されているペーパータオル１枚、１枚がばらばらになってしまうことを防止し、ペーパータオルを取り出し易くすると共に、ペーパータオルの長手方向における両端部側を保護する上で望ましい。
【００２０】
前記いずれの本考案のペーパータオル収納袋においても、前記プラスチックフィルムは、前記ペーパータオルを外部から視認できる半透明又は透明の材質からなるものとすることができる。
【００２１】
これによって、外部から残りのペーパータオルの残存量を容易に確認でるので、必要時に残りがないという事態を避けられる。従来の箱形タイプのホルダーでは残存量の確認用窓を設ける必要があったが、本考案では内部全体が容易に視認できるので、確認用窓等を設ける必要はない。
【００２２】
次に、前記目的を解決するために本考案が提案する本考案のペーパータオルは、複数枚のペーパータオルが、隣接する他のペーパータオルを挟みこむように重畳されて積層された状態で、前述した本考案のいずれかのペーパータオル収納袋に収納されているものである。
【００２３】
なお、ここで、ペーパータオルは、クッキングペーパー又はキッチンペーパーとすることができる。
【００２４】
このように、ペーパータオルはそれぞれ隣接する他のペーパータオルを挟みこむように折畳まれ、積層されて収納されているので、１枚のペーパータオルを取り出すときに、次のペーパータオルの一部が摩擦により引きずられて外部に露出する所謂プルアップタイプ（「ポップアップタイプ」ともいう）であるので、片手での取り出し操作がさらに容易となる。なおミシン目で分離可能とする１枚もののペーパータオルを折畳んで収納することも可能である。
【考案の効果】
【００２５】
本考案によれば、吊下げ式のペーパータオル収納袋であるので、ミシン目を開封した取出口から片手で容易に取り出しでき、さらに設置場所の確保が容易である使い勝手の良いキッチンペーパーの収納袋を提供することができる。
【００２６】
また、吊下げることで従来の箱形のように載置用の平坦なスペースが必要なくなる。
【００２７】
さらに、プラスチック製フィルムによりペーパータオル収納袋が形成されているので、収納されているペーパータオルが濡れたり、吸湿したり、あるいは埃で汚れたりするのを抑えることができる。
【考案を実施するための最良の形態】
【００２８】
以下、添付図面を参照して本考案の好ましい実施形態を説明する。
【００２９】
図１は本考案の一実施形態であるミシン目開封前のペーパータオル収納袋の斜視図、図２は同じくミシン目開封後のペーパータオル収納袋の斜視図、図３は従来のキッチンペーパーホルダーの断面図である。
【００３０】
図１に示すように、本考案のぺーパータオルの収納袋１は、折畳まれた複数枚のペーパータオル２を収納するものである。
【００３１】
そして、本考案のペーパータオルは、複数枚のペーパータオル２が、隣接する他のペーパータオルを挟みこむように重畳されて積層された状態で、本考案のぺーパータオルの収納袋１に収納されたものである。すなわち、複数枚のペーパータオル２が、隣接する他のペーパータオルを挟みこむように重畳されて積層された状態で、方形状、例えば、図示のように、長方形状である透明材質のキャスティングポリプロピレン（Ｃ．Ｐ．Ｃ．）製フィルム３を、２枚重ねた間に、前記の積層された状態の複数枚のペーパータオル２を収納し、Ｃ．Ｐ．Ｃ．製フィルム３の端部を、例えば、熱融着などによって閉じて、正面視、長方形状に仕上げたものが、本考案のペーパータオルである。
【００３２】
本実施形態ではプラスチックフィルムとして透明なキャスティングポリプロピレン（Ｃ．Ｐ．Ｃ．）製フィルムを使用するが、これに限定するものでなく、ポリエチレン、ポリスチレン、ポリプロピレン等の他の透明なプラスチック製フィルムを使用してもよい。
【００３３】
ペーパータオル２は、キッチンペーパー（または「クッキングペーパー」）とも呼ばれるものであって、ティッシュペーパーよりも厚く、丈夫で吸収性の良い紙製タオルである。ペーパータオル２を広げた形状は正方形に近い長方形であり、これを長手方向の中央に折り目を設けて２つに折り返す。この折り返した内側にそれぞれ隣合う他のペーパータオルの折り返した半片を挟み込んで重畳し、積層した状態にして、ペーパータオル収納袋１に収納する。
【００３４】
隣接した他のペーパータオル２の半片を挟み込んで重畳することで、ペーパータオル収納袋１からペーパータオル２を１枚取り出したときに、次に続くペーパータオルの半片が摩擦により引き摺られて露出することになるので、次のペーパータオル２もその露出した部分をつまんで片手で容易に取り出すことができる。
【００３５】
ペーパータオル収納袋１は、上記したように長方形状である透明材質のＣ．Ｐ．Ｃ．製フィルム３を２枚重ねたときに、長手方向の一端部側に、長手方向に延在した所定長さの耳部５を形成するようにＣ．Ｐ．Ｃ．製フィルム３の端部を、例えば、熱融着などにより貼り合わせる。
【００３６】
そしてこの耳部５に吊り下げ用の鉤穴６が形成される。この鉤穴６は直径が５〜７ｍｍ程度であり、鉤型吊り具の先端部が鉤穴６を挿通できる程度であればよい。
【００３７】
前述したように熱融着する場合、その工程は、ペーパータオルをその両面から２枚のＣ．Ｐ．Ｃ．製フィルムで重ね合わせ、長手方向の一端部に耳部５を形成するようにしてフィルムの端部全体を熱融着するか、あるいは、予めペーパータオルの挿入口を残して熱融着し、ペーパータオルを挿入した後に、挿入口を熱融着して貼り合せてもよい。
【００３８】
また２枚のＣ．Ｐ．Ｃ．製フィルムのうち、１枚には予め長手方向中央にペーパータオルの長手方向と略等しい長さのミシン目４が、ペーパータオルの取出口を形成するために設けられている。すなわちミシン目４は、長手方向の一端にある耳部５の手前から長手方向の他端の手前まで設けられている。
【００３９】
ここで、方形状袋の長手方向に延びるミシン目４は、図１、図２において符号７で示すように、耳部５がある方形状袋の一端部及び、当該一端部に対向する他端部から、それぞれ、所定の間隔（Ｗ）をあけた位置で終端している。図１、図２において符号８で表す、耳部５がある方形状袋の一端部及び、当該一端部に対向する他端部から、符号７で示すミシン目４の終端までの間隔（Ｗ）は、耳部がある方形状袋の一端部及び、当該一端部に対向する他端部から、それぞれ、１０乃至２５ｍｍであるようにすることができる。
【００４０】
次に、図２に示すように、ペーパータオル収納袋１の１面の長手方向中央部に設けられたミシン目開封後について説明する。
【００４１】
ペーパータオル収納袋１に収納されているペーパータオル２の使用に際しては、所定の位置に設けられた鉤型の吊り具（図示せず）に、耳部５に形成された鉤穴６を挿通させて垂下設置する。鉤型の吊り具は、ペーパータオル収納袋１を吊下げ、ペーパータオルの取り出しに際して落下等の支障がなければ、ネジ止め、磁石止め、接着剤止め式のいずれでもよい。
【００４２】
ミシン目４に沿って開封し、収納されたペーパータオル２の外側１枚を引出すと、続いて収納されている他のペーパータオル２も、相互に挟んで重畳されているので、その一部が収納袋１の外部に露出する。そのためミシン目４を開封して最初の１枚を取り出すときは両手を使って取り出すことになるが、２枚目以降は露出した部分を引出せばよいので片手で容易に取り出すことができる。また吊下げられているので、引出しの際に収納袋１の位置がずれることもない。
【００４３】
このように本実施形態のペーパータオル収納袋１は、一端側に鉤穴６付きの耳部５を設けているので、所定位置の鉤型吊り具に垂下することができ、平坦な設置場所を必要としない。またミシン目を開いて取出口とするので、片手で容易にペーパータオルを取り出せる。
【００４４】
また、方形状袋の長手方向に延びるミシン目４が、耳部５がある方形状袋の一端部及び、当該一端部に対向する他端部から、それぞれ、１０乃至２５ｍｍの間隔（Ｗ）をあけた位置で終端しているので、ペーパータオル収納袋１からペーパータオル２を１枚ずつ取り出す際に、重ね合わせて積層されているペーパータオル２の１枚、１枚がばらばらになってしまうことを防止でき、容易にペーパータオル２を引き出すことができると共に、ペーパータオル２の長手方向における両端部側を効果的に保護できる。
【００４５】
更に、収納されるペーパータオル２は１枚ずつ連続して取り出せるプルアップ（「ポップアップ」ともいう）式であるから、より一層容易に取り出せる。
【００４６】
また、全体がＣ．Ｐ．Ｃ．製フィルムからなり、ミシン目を設けてあるものの周囲が熱融着されているので、開封前は埃、湿気等の侵入を抑え、開封後も取出口に次のペーパータオルが装着されているので内部への埃等の侵入を抑えることができる。また全体が透明のＣ．Ｐ．Ｃ．製フィルムであるから、残りのペーパータオル量が一見して明らかであるので、交換忘れを防止できる。
【００４７】
本実施形態でのペーパータオルは、それぞれ２枚折りにして相互に挟んで重畳させているが、このようなプルアップ式とするものであれば、３枚以上に折り畳んだものでもよい。
【００４８】
またこのペーパータオルは、キッチンペーパーとして台所で使用することも、あるいはオフィスや工場、車中等での布巾等として広く使用でき、平坦な場所に置く従来の箱形とは異なり、鉤金具等に垂下できるので使い勝手に優れている。
【００４９】
なお、耳部５は本実施形態では一端部に形成したが、収納袋の強度を増すために全周にわたり耳部を設けてもよく、鉤穴６は少なくとも長手方向の一端側の耳部に設けてあればよい。
【００５０】
また本実施形態では全周を熱融着してペーパータオル収納袋とするが、インフレーション法により作られた円筒状のフィルム内にペーパータオルを挿入し、長手方向の両端（一端側に耳部）を熱融着してペーパータオル収納袋にしてもよい。
【図面の簡単な説明】
【００５１】
【図１】本考案の一実施形態であるペーパータオル収納袋にペーパータオルが収納されている状態の本考案のペーパータオルにおいて、ペーパータオル収納袋のミシン目が開封される前の状態を説明する斜視図。
【図２】本考案の一実施形態であるペーパータオル収納袋にペーパータオルが収納されている状態の本考案のペーパータオルにおいて、ペーパータオル収納袋のミシン目が開封されて、ペーパータオルが使用されている状態を説明する斜視図。
【図３】従来のペーパータオルホルダーの一例を説明する断面図。
【符号の説明】
【００５２】
１  ペーパータオル収納袋
２  ペーパータオル
３  Ｃ．Ｐ．Ｃ．製フィルム
４  ミシン目
５  耳部
６  鉤穴
７  ミシン目の終端
【図１】
0003122104.tif 000003
【図２】
0003122104.tif 000004
【図３】
0003122104.tif 000005